(57)【要約】第１蓄電池を有し、第１指令値にしたがって電力を供給する第１ユニットと、第２蓄電池を有し、電線において、第１ユニットの接続位置よりも負荷側の位置で、第１ユニットと並列に接続され、第２指令値にしたがって電力を供給する第２ユニットと、第１ユニットの系統側の電線に流れる電流を検出する第１センサと、第１ユニットの負荷側の電線に流れる電流を検出する第２センサと、制御部とを含み、第１ユニットは、第１センサの検出値及び第１目標値から第１指令値を決定し、第２ユニットは、第２センサの検出値及び第２目標値から第２指令値を決定し、制御部は、第１ユニット及び第２ユニットの動作状況に応じて第１目標値と第２目標値とを相互に異なる値に設定する。
2019235221.tif 000002
【特許請求の範囲】
【請求項１】
第１蓄電池を有し、電力系統から負荷に電力を供給するための電線に接続され、第１指令値にしたがって前記第１蓄電池から前記電線に電力を供給する第１ユニットと、
第２蓄電池を有し、前記電線における前記第１ユニットの前記電線への接続位置よりも負荷側の位置で、前記第１ユニットと並列に前記電線に接続され、第２指令値にしたがって前記第２蓄電池から前記電線に電力を供給する第２ユニットと、
前記第１ユニットの前記電線への前記接続位置よりも系統側の前記電線に流れる電流を検出する第１センサと、
前記第１ユニットの前記電線への前記接続位置よりも負荷側であって、前記第２ユニットよりも系統側の前記電線に流れる電流を検出する第２センサと、
制御部とを含み、
前記第１ユニットは、前記第１センサの検出値に基づき、前記電力系統から供給される電力が第１目標値になるように前記第１指令値を決定し、
前記第２ユニットは、前記第２センサの検出値に基づき、前記第２センサの位置で前記電力系統及び前記第１ユニットから供給される電力が第２目標値になるように前記第２指令値を決定し、
前記制御部は、前記第１ユニットの動作状況及び前記第２ユニットの動作状況に応じて前記第１目標値と前記第２目標値とを相互に異なる値に設定する、系統連系用蓄電システム。
【請求項２】
前記制御部は、前記系統連系用蓄電システムから前記電力系統に電流が流れる逆潮流が発生しないように、前記第１目標値及び前記第２目標値を設定する、請求項１に記載の系統連系用蓄電システム。
【請求項３】
前記制御部は、前記第１ユニットに含まれる、前記第２ユニットに含まれる、又は、前記第１ユニット及び前記第２ユニットのいずれにも含まれず、
前記制御部は、
前記第１ユニットに含まれる場合には、前記第２ユニットと有線又は無線で互いに通信する通信部を含み、
前記第２ユニットに含まれる場合には、前記第１ユニットと有線又は無線で互いに通信する通信部を含み、
前記第１ユニット及び前記第２ユニットのいずれにも含まれない場合には、前記第１ユニット及び前記第２ユニットの各々と有線又は無線で互いに通信する通信部を含む、請求項１又は請求項２に記載の系統連系用蓄電システム。
【請求項４】
前記制御部は、前記第１ユニットの動作状況及び前記第２ユニットの動作状況に応じて前記第２目標値を変更することによって、前記第１目標値と前記第２目標値とを相互に異なる値に設定する、請求項１から請求項３のいずれか１項に記載の系統連系用蓄電システム。
【請求項５】
前記制御部は、前記第１蓄電池及び前記第２蓄電池の使用履歴又は劣化度の差を算出し、前記第２目標値を前記差がゼロに近づく方向に変更する、請求項４に記載の系統連系用蓄電システム。
【請求項６】
前記制御部は、前記第２蓄電池の充放電のサイクル回数が前記第１蓄電池の充放電のサイクル回数以上であれば、前記第２目標値を増大させる、請求項５に記載の系統連系用蓄電システム。
【請求項７】
前記制御部は、前記第１蓄電池の充放電電力及び前記第２蓄電池の充放電電力が均等になるように、前記第２目標値を変更する、請求項１から請求項３のいずれか１項に記載の系統連系用蓄電システム。
【請求項８】
前記制御部は、前記第２蓄電池の充放電電力が前記第１蓄電池の充放電電力以上であれば、前記第２目標値を増大させる、請求項７に記載の系統連系用蓄電システム。
【請求項９】
前記電線において、前記第１ユニットの前記電線への接続位置よりも負荷側の位置で、前記第１ユニットと並列に前記電線に接続された発電ユニットをさらに含む、請求項１から請求項８のいずれか１項に記載の系統連系用蓄電システム。
【請求項１０】
前記発電ユニットは、前記第２ユニットの前記電線への接続位置よりも負荷側の位置で、前記電線に接続され、
前記制御部は、
前記第２目標値を減少させることにより、前記発電ユニットの発電電力及び前記電力系統からの電力により前記第１ユニットを前記第２ユニットよりも優先的に充電させ、
前記第２目標値を増大させることにより、前記発電ユニットの発電電力及び前記電力系統からの電力により前記第２ユニットを前記第１ユニットよりも優先的に充電させる、請求項９に記載の系統連携用蓄電システム。
【請求項１１】
第１蓄電池を有し、電力系統から負荷に電力を供給するための電線に他の蓄電ユニットとともに並列に接続され、第１指令値にしたがって前記第１蓄電池から前記電線に電力を供給する蓄電ユニットであって、
前記他の蓄電ユニットは、第２蓄電池を有し、前記蓄電ユニットの前記電線への接続位置よりも負荷側の位置で、前記蓄電ユニットと並列に前記電線に接続され、第２指令値にしたがって前記第２蓄電池から前記電線に電力を供給し、
前記蓄電ユニットは、
当該蓄電ユニットの前記電線への前記接続位置よりも系統側の前記電線に流れる電流を検出するセンサと、
前記センサの検出値に基づき、前記電力系統から供給される電力が第１目標値になるように前記第１指令値を決定する決定部と、
前記蓄電ユニットの動作状況及び前記他の蓄電ユニットの動作状況に応じて前記他の蓄電ユニットと共通に用いられる制御部から送信される指示に基づいて、前記第１目標値を、前記第２指令値を決定するための第２目標値とは異なる値に変更する変更部とを含む、蓄電ユニット。
【請求項１２】
第１蓄電池を有し、電力系統から負荷に電力を供給するための電線に他の蓄電ユニットとともに並列に接続され、第１指令値にしたがって前記第１蓄電池から前記電線に電力を供給する蓄電ユニットであって、
前記他の蓄電ユニットは、第２蓄電池を有し、前記蓄電ユニットの前記電線への接続位置よりも系統側の位置で、前記蓄電ユニットと並列に前記電線に接続され、第２指令値にしたがって前記第２蓄電池から前記電線に電力を供給し、
前記蓄電ユニットは、
前記他の蓄電ユニットの前記電線への前記接続位置よりも負荷側であって、前記蓄電ユニットより系統側の前記電線に流れる電流を検出するセンサと、
前記センサの検出値に基づき、前記電力系統から供給される電力が第１目標値になるように前記第１指令値を決定する決定部と、
前記蓄電ユニットの動作状況及び前記他の蓄電ユニットの動作状況に応じて前記他の蓄電ユニットと共通に用いられる制御部から送信される指示に基づいて、前記第１目標値を、前記第２指令値を決定するための第２目標値とは異なる値に変更する変更部とを含む、蓄電ユニット。
【発明の詳細な説明】
【技術分野】
【０００１】
本開示は、系統連系用蓄電システム及び蓄電ユニットに関する。本出願は、２０１８年６月６日出願の日本出願第２０１８−１０８３１１号に基づく優先権を主張し、前記日本出願に記載された全ての記載内容を援用するものである。
【背景技術】
【０００２】
電力系統に接続され、一旦蓄電池に蓄えた電力を、停電時等に電力変換装置を介して負荷に供給できる蓄電システムが知られている。太陽光発電システムにも接続され、負荷に供給される電力を超えた発電電力（余剰電力）を蓄える蓄電システムも知られている。【０００３】
図１を参照して、蓄電ユニット９００を含む蓄電システムは、電力系統９２０に接続され、電力系統９２０から供給される電力を、パワーコンディショナ（以下、ＰＣＳ（Ｐｏｗｅｒ  Ｃｏｎｄｉｔｉｏｎｉｎｇ  Ｓｙｓｔｅｍ）という）を介して交流から直流に変換して蓄電池（リチウムイオン二次電池等）に蓄える。蓄電池に蓄えられた電力は、リモートコントローラ（以下、リモコンという）９０４により制御されて、必要に応じて、ＰＣＳにより直流から交流に変換されて家庭等の電気機器である負荷９２２に供給される。【０００４】
逆潮検出ＣＴセンサ９０６及び９０８は、電力系統９２０側に電流が流れる逆潮流を監視するためのＣＴセンサである。逆潮検出ＣＴセンサ９０６及び９０８は設置された配電線に流れる電流（交流）を検出し、対応する情報（電流値等）を蓄電ユニット９００に伝送する。蓄電ユニット９００は、電力を供給する前に逆潮検出ＣＴセンサ９０６及び９０８の情報から、負荷９２２で消費されている電力を算出する。蓄電ユニット９００は、電力系統９２０から供給される電力が、予めリモコン９０４により蓄電ユニット９００に設定された買電力の目標値（以下、単に「目標値」ともいう）になるように、充放電指令値（以下、単に「指令値」ともいう）を決定する。ＰＣＳは、決定された指令値にしたがって蓄電池の充放電を行なう。【０００５】
電力を蓄えるための蓄電池の大きさは、蓄電可能な最大容量に依存し、蓄電可能な容量が大きくなれば蓄電池も大きくなる。一般家庭への導入を考えると、小型で軽量であることが好ましい。そのため、１台の蓄電容量を比較的小さく抑えて複数台で、要求される蓄電容量に対応することも行なわれている。これにより、分散配置でき、蓄電システムの設置が容易になる。【０００６】
また、そのような蓄電システムにおいて、一旦、所定の蓄電容量の蓄電システムを設置した後に、何らかの理由により大容量の電力を蓄電することが必要になることがある。後掲の特許文献１には、既設の太陽光発電システムにおいて、設置後にバックアップ電源システムの容量の増大を簡易に行なうことができる技術が開示されている。【０００７】
図１に示した蓄電システムでは、蓄電容量を増大するために、蓄電池のみで構成される増設ユニットが追加される。図１において、蓄電ユニット９００に、ＰＣＳを備えていない増設ユニットが追加された場合、蓄電ユニット９００のＰＣＳは、リモコン９０４による設定変更に応じて、蓄電ユニット９００及び増設ユニットの蓄電池を用いて、電力系統９２０から供給される電力を蓄える。蓄電ユニット９００及び増設ユニットに蓄えられた電力は、必要に応じて、蓄電ユニット９００のＰＣＳにより直流から交流に変換されて家庭等の負荷９２２に供給される。蓄電ユニット９００の蓄電池に、増設ユニットの蓄電池が並列に接続されることにより蓄電容量が大きくなる。したがって、比較的小容量の要望には蓄電ユニット９００単体で対応し、要求される容量がより大きければ、増設ユニットを１台、２台、３台と追加することで対応が可能になる。
【先行技術文献】
【特許文献】
【０００８】
【特許文献１】特開２０１７−２８８８４号公報
【発明の概要】
【０００９】
本開示のある局面に係る系統連系用蓄電システムは、第１蓄電池を有し、電力系統から負荷に電力を供給するための電線に接続され、第１指令値にしたがって第１蓄電池から電線に電力を供給する第１ユニットと、第２蓄電池を有し、電線における第１ユニットの電線への接続位置よりも負荷側の位置で、第１ユニットと並列に電線に接続され、第２指令値にしたがって第２蓄電池から電線に電力を供給する第２ユニットと、第１ユニットの電線への接続位置よりも系統側の電線に流れる電流を検出する第１センサと、第１ユニットの電線への接続位置よりも負荷側であって、第２ユニットよりも系統側の電線に流れる電流を検出する第２センサと、制御部とを含み、第１ユニットは、第１センサの検出値に基づき、電力系統から供給される電力が第１目標値になるように第１指令値を決定し、第２ユニットは、第２センサの検出値に基づき、第２センサの位置で電力系統及び第１ユニットから供給される電力が第２目標値になるように第２指令値を決定し、制御部は、第１ユニットの動作状況及び第２ユニットの動作状況に応じて第１目標値と第２目標値とを相互に異なる値に設定する。
【００１０】
本開示の別の局面に係る蓄電ユニットは、第１蓄電池を有し、電力系統から負荷に電力を供給するための電線に他の蓄電ユニットとともに並列に接続され、第１指令値にしたがって第１蓄電池から電線に電力を供給する蓄電ユニットであって、他の蓄電ユニットは、第２蓄電池を有し、蓄電ユニットの電線への接続位置よりも負荷側の位置で、蓄電ユニットと並列に電線に接続され、第２指令値にしたがって第２蓄電池から電線に電力を供給し、蓄電ユニットは、第１目標値を取得する取得部と、蓄電ユニットの電線への接続位置よりも系統側の電線に流れる電流を検出する第１センサの検出値に基づき、電力系統から供給される電力が第１目標値になるように第１指令値を決定する決定部とを含み、第１目標値は、蓄電ユニットの動作状況及び他の蓄電ユニットの動作状況に応じて決定された値であって、第２目標値と異なる値であり、第２目標値は、第２指令値を決定するために使用され、第２指令値は、蓄電ユニットの電線への接続位置よりも負荷側であって、他の蓄電ユニットよりも系統側の電線に流れる電流を検出する第２センサの検出値に基づき、第２センサの位置で電力系統及び蓄電ユニットから供給される電力が第２目標値になるように決定される。
【００１１】
本開示のさらに別の局面に係る蓄電ユニットは、第１蓄電池を有し、電力系統から負荷に電力を供給するための電線に他の蓄電ユニットとともに並列に接続され、第１指令値にしたがって第１蓄電池から電線に電力を供給する蓄電ユニットであって、他の蓄電ユニットは、第２蓄電池を有し、蓄電ユニットの電線への接続位置よりも系統側の位置で、蓄電ユニットと並列に電線に接続され、第２指令値にしたがって第２蓄電池から電線に電力を供給し、蓄電ユニットは、第１目標値を取得する取得部と、他の蓄電ユニットの電線への接続位置よりも負荷側であって、蓄電ユニットよりも系統側の電線に流れる電流を検出する第１センサの検出値に基づき、第１センサの位置で電力系統及び他の蓄電ユニットから供給される電力が第１目標値になるように第１指令値を決定する決定部とを含み、第１目標値は、蓄電ユニットの動作状況及び他の蓄電ユニットの動作状況に応じて決定された値であって、第２目標値と異なる値であり、第２目標値は、第２指令値を決定するために使用され、第２指令値は、他の蓄電ユニットの電線への接続位置よりも系統側の電線に流れる電流を検出する第２センサの検出値に基づき、電力系統から供給される電力が第２目標値になるように決定される。
【図面の簡単な説明】
【００１２】
【図１】図１は、従来の蓄電システムの構成を示すブロック図である。
【図２】図２は、本開示の第１の実施形態に係る系統連系用蓄電システムの構成を示すブロック図である。
【図３】図３は、図２のリモコンの動作を示すフローチャートである。
【図４】図４は、図２の蓄電ユニットの動作を示すフローチャートである。
【図５】図５は、図２の増設ユニットの動作を示すフローチャートである。
【図６】図６は、実験状態を示すブロック図である。
【図７】図７は、実験結果を示すグラフである。
【図８】図８は、実験状態を示すブロック図である。
【図９】図９は、本開示の第２の実施形態に係る系統連系用蓄電システムの構成を示すブロック図である。
【図１０】図１０は、図９のリモコンの動作を示すフローチャートである。
【図１１】図１１は、図９の蓄電ユニットの動作を示すフローチャートである。
【図１２】図１２は、図９の増設ユニットの動作を示すフローチャートである。
【図１３】図１３は、第２の実施形態の第１変形例を示すブロック図である。
【図１４】図１４は、第２の実施形態の第２変形例を示すブロック図である。
【図１５】図１５は、リモコンを備えていない系統連系用蓄電システムの構成を示すブロック図である。
【発明を実施するための形態】
【００１３】
［本開示が解決しようとする課題］
図１の構成では、増設ユニットは、蓄電ユニット９００とは構成が異なるため、蓄電ユニット９００と増設ユニットとをそれぞれ別の製品番号を付して管理することが必要になる。また、蓄電ユニット９００の製造台数と増設ユニットの製造台数とを調整することも必要になり、煩雑である。
【００１４】
したがって、本開示は、電力系統に、蓄電ユニットを複数並列に接続した構成において、複数の蓄電ユニットの動作状況（充放電状況等）を均等にすることができる系統連系用蓄電システム及び蓄電ユニットを提供することを目的とする。なお、本願明細書において、「均等」とは、複数の値が全く同じ大きさである状態に限らず、複数の値が近似する状態（複数の値の差が所定値以下）をも意味する。
【００１５】
［本開示の効果］
本開示によれば、電力系統に、同じ製品の蓄電ユニットを複数並列に接続した構成の系統連系用蓄電システムにおいて、複数の蓄電ユニットの動作状況（充放電状況等）を均等にすることが可能になる。
【００１６】
［本開示の実施形態の説明］
最初に、本開示の実施の形態の内容を列記して説明する。以下に記載する実施形態の少なくとも一部を任意に組み合わせてもよい。
【００１７】
（１）本開示のある局面に係る系統連系用蓄電システムは、第１蓄電池を有し、電力系統から負荷に電力を供給するための電線に接続され、第１指令値にしたがって第１蓄電池から電線に電力を供給する第１ユニットと、第２蓄電池を有し、電線における第１ユニットの電線への接続位置よりも負荷側の位置で、第１ユニットと並列に電線に接続され、第２指令値にしたがって第２蓄電池から電線に電力を供給する第２ユニットと、第１ユニットの電線への接続位置よりも系統側の電線に流れる電流を検出する第１センサと、第１ユニットの電線への接続位置よりも負荷側であって、第２ユニットよりも系統側の電線に流れる電流を検出する第２センサと、制御部とを含み、第１ユニットは、第１センサの検出値に基づき、電力系統から供給される電力が第１目標値になるように第１指令値を決定し、第２ユニットは、第２センサの検出値に基づき、第２センサの位置で電力系統及び第１ユニットから供給される電力が第２目標値になるように第２指令値を決定し、制御部は、第１ユニットの動作状況及び第２ユニットの動作状況に応じて第１目標値と第２目標値とを相互に異なる値に設定する。
【００１８】
上記した従来技術の問題を解決するために、図１の逆潮検出ＣＴセンサ９０６、９０８及び蓄電ユニット９００と同じ製品である逆潮検出ＣＴセンサ及び増設ユニットを、蓄電ユニット９００と負荷９２２との間に追加した構成にすることが考えられる。蓄電ユニット９００の蓄電池に、増設ユニットの蓄電池が並列に接続されることにより蓄電容量が大きくなる。
【００１９】
しかし、蓄電ユニット９００と負荷９２２との間に増設ユニットを追加する上記の構成では、両者は均等には動作しない。電力系統９２０に並列に接続された蓄電ユニット９００及び増設ユニットのうち、負荷９２２の側に近い位置で配電線に接続されている増設ユニットが優先して動作し、負荷９２２による消費電力の変動に応じた電力を供給する（以下、負荷追従運転ともいう）。負荷９２２の消費電力が増大し、増設ユニットが負荷追従運転できなくなれば、増設ユニットから供給されない電力が蓄電ユニット９００から供給される。そのため、蓄電ユニット９００及び増設ユニットのそれぞれの動作状況が異なり、充放電のサイクル回数に差が生じて、蓄電ユニット９００及び増設ユニットの蓄電池の劣化度が異なるようになる。そして、増設ユニットが蓄電ユニット９００よりも早く劣化してしまい、蓄電ユニット９００及び増設ユニットが均等に使用される場合よりも短期間でシステムが使用できなくなってしまう問題がある。
【００２０】
これに対して、上記した本開示のある局面に係る系統連系用蓄電システムでは、従来技術の問題を解決できることに加えて、第１ユニット及び第２ユニットの動作状況（例えば劣化度）が均等になるように、第１ユニット及び第２ユニットを運転できる。例えば、第１ユニット及び第２ユニットの一方の劣化度が他方の劣化度よりも大きくなることを防止できる。
【００２１】
（２）好ましくは、制御部は、系統連系用蓄電システムから電力系統に電流が流れる逆潮流が発生しないように、第１目標値及び第２目標値を設定する。これにより、逆潮流を生じることなく、第１ユニット及び第２ユニットの動作状況が均等になるように、第１ユニット及び第２ユニットを運転できる。
【００２２】
（３）より好ましくは、制御部は、第１ユニットに含まれる、第２ユニットに含まれる、又は、第１ユニット及び第２ユニットのいずれにも含まれず、制御部は、第１ユニットに含まれる場合には、第２ユニットと有線又は無線で互いに通信する通信部を含み、第２ユニットに含まれる場合には、第１ユニットと有線又は無線で互いに通信する通信部を含み、第１ユニット及び第２ユニットのいずれにも含まれない場合には、第１ユニット及び第２ユニットの各々と有線又は無線で互いに通信する通信部を含む。これにより、第１ユニット及び第２ユニットの動作状況が均等になるように、第１ユニット及び第２ユニットを運転できる。
【００２３】
（４）さらに好ましくは、制御部は、第１ユニットの動作状況及び第２ユニットの動作状況に応じて第２目標値を変更することによって、第１目標値と第２目標値とを相互に異なる値に設定する。
【００２４】
（５）好ましくは、制御部は、第１蓄電池及び第２蓄電池の使用履歴又は劣化度の差を算出し、第２目標値を差がゼロに近づく方向に変更する。これらにより、第１ユニット及び第２ユニットの使用履歴又は劣化度が均等になるように、第１ユニット及び第２ユニットを運転できる。
【００２５】
（６）より好ましくは、制御部は、第２蓄電池の充放電のサイクル回数が第１蓄電池の充放電のサイクル回数以上であれば、第２目標値を増大させる。これにより、第１ユニット及び第２ユニットの充放電のサイクル回数の差が小さくなり、第１ユニット及び第２ユニットの劣化度が均等になるように、第１ユニット及び第２ユニットを運転できる。
【００２６】
（７）さらに好ましくは、制御部は、第１蓄電池の充放電電力及び第２蓄電池の充放電電力が均等になるように、第２目標値を変更する。これにより、第１ユニット及び第２ユニットの充放電電力が均等になるように、第１ユニット及び第２ユニットを運転できる。
【００２７】
（８）好ましくは、制御部は、第２蓄電池の充放電電力が第１蓄電池の充放電電力以上であれば、第２目標値を増大させる。これにより、第１ユニット及び第２ユニットの充放電電力の差が小さくなり、第１ユニット及び第２ユニットの劣化度が均等になるように、第１ユニット及び第２ユニットを運転できる。
【００２８】
（９）より好ましくは、系統連系用蓄電システムは、電線において、第１ユニットの電線への接続位置よりも負荷側の位置で、第１ユニットと並列に電線に接続された発電ユニットをさらに含む。これにより、発電ユニットによる発電電力に余剰電力がある場合には、余剰電力を第１ユニット及び第２ユニットで均等に充電できる。したがって、発電ユニットを備える場合にも、例えば、第１ユニット及び第２ユニットの一方の劣化度が他方の劣化度よりも大きくなることを防止できる。
【００２９】
（１０）さらに好ましくは、発電ユニットは、第２ユニットの電線への接続位置よりも負荷側の位置で、電線に接続され、制御部は、第２目標値を増大させることにより、発電ユニットの発電電力及び電力系統からの電力により第１ユニットを第２ユニットよりも優先的に充電させ、第２目標値を減少させることにより、発電ユニットの発電電力及び電力系統からの電力により第２ユニットを第１ユニットよりも優先的に充電させる。これにより、第１ユニット及び第２ユニットの充電状態を制御できる。
【００３０】
（１１）好ましくは、発電ユニットは、第２ユニットの電線への接続位置よりも負荷側の位置で、第２ユニットと並列に電線に接続される。
【００３１】
（１２）より好ましくは、制御部は、第１蓄電池の充放電のサイクル回数及び第２蓄電池の充放電のサイクル回数の差が所定値以上であれば、第２目標値を変更することによって、第１目標値と第２目標値とを相互に異なる値に設定する。
【００３２】
（１３）さらに好ましくは、制御部は、第１蓄電池の電池残量及び第２蓄電池の電池残量が均等になるように、第２目標値を変更することによって、第１目標値と第２目標値とを相互に異なる値に設定する。
【００３３】
（１４）好ましくは、制御部は、第１ユニットの動作状況及び第２ユニットの動作状況に応じて、第１目標値を変更すること、又は、第１目標値及び第２目標値を変更することによって、第１目標値と第２目標値とを相互に異なる値に設定する。
【００３４】
（１５）より好ましくは、制御部は、所定時刻になったこと、所定の時間が経過したこと、又は、外部から指示を受信したことを受けて、第２目標値を変更することによって、第１目標値と第２目標値とを相互に異なる値に設定する。
【００３５】
（１６）さらに好ましくは、系統連系用蓄電システムはリモコンをさらに含み、制御部はリモコンに含まれる。
【００３６】
（１７）好ましくは、制御部は、第１ユニット又は第２ユニットに含まれる。
【００３７】
（１８）本開示の別の局面に係る蓄電ユニットは、第１蓄電池を有し、電力系統から負荷に電力を供給するための電線に他の蓄電ユニットとともに並列に接続され、第１指令値にしたがって第１蓄電池から電線に電力を供給する蓄電ユニットであって、他の蓄電ユニットは、第２蓄電池を有し、蓄電ユニットの電線への接続位置よりも負荷側の位置で、蓄電ユニットと並列に電線に接続され、第２指令値にしたがって第２蓄電池から電線に電力を供給し、蓄電ユニットは、当該蓄電ユニットの電線への接続位置よりも系統側の電線に流れる電流を検出するセンサと、センサの検出値に基づき、電力系統から供給される電力が第１目標値になるように第１指令値を決定する決定部と、蓄電ユニットの動作状況及び他の蓄電ユニットの動作状況に応じて他の蓄電ユニットと共通に用いられる制御部から送信される指示に基づいて、第１目標値を、第２指令値を決定するための第２目標値とは異なる値に変更する変更部とを含む。
【００３８】
（１９）本開示のさらに別の局面に係る蓄電ユニットは、第１蓄電池を有し、電力系統から負荷に電力を供給するための電線に他の蓄電ユニットとともに並列に接続され、第１指令値にしたがって第１蓄電池から電線に電力を供給する蓄電ユニットであって、他の蓄電ユニットは、第２蓄電池を有し、蓄電ユニットの電線への接続位置よりも系統側の位置で、蓄電ユニットと並列に電線に接続され、第２指令値にしたがって第２蓄電池から電線に電力を供給し、蓄電ユニットは、他の蓄電ユニットの電線への接続位置よりも負荷側であって、蓄電ユニットより系統側の電線に流れる電流を検出するセンサと、センサの検出値に基づき、電力系統から供給される電力が第１目標値になるように第１指令値を決定する決定部と、蓄電ユニットの動作状況及び他の蓄電ユニットの動作状況に応じて他の蓄電ユニットと共通に用いられる制御部から送信される指示に基づいて、第１目標値を、第２指令値を決定するための第２目標値とは異なる値に変更する変更部とを含む。
【００３９】
［本開示の実施形態の詳細］
以下の実施の形態では、同一の部品には同一の参照番号を付してある。それらの名称及び機能も同一である。したがって、それらについての詳細な説明は繰返さない。
【００４０】
（第１の実施形態）
［全体構成］
図２を参照して、本開示の第１の実施形態に係る系統連系用蓄電システム１００は、蓄電ユニット１０２と、増設ユニット１０４と、リモコン１０６と、逆潮検出ＣＴセンサ１０８、１１０、１１２及び１１４とを含む。蓄電ユニット１０２は、電力系統１２０の配電線に接続されている。増設ユニット１０４は、蓄電ユニット１０２と並列に配電線に接続されている。リモコン１０６は、通信部１０７を含む。リモコン１０６は、通信部１０７を介して蓄電ユニット１０２及び増設ユニット１０４と、有線又は無線により通信する。逆潮検出ＣＴセンサ１０８、１１０、１１２及び１１４は、配電線に配置されている。蓄電ユニット１０２及び増設ユニット１０４はそれぞれ、ＰＣＳと蓄電池（リチウムイオン二次電池等）とを備える。蓄電ユニット１０２及び増設ユニット１０４はそれぞれ、電力系統１２０から供給される電力を、ＰＣＳを介して交流から直流に変換して内部の蓄電池に蓄える。
【００４１】
蓄電ユニット１０２及び増設ユニット１０４の各ＰＣＳは、制御部（ＣＰＵ、マイコン等）と記憶部（例えば、書換可能な不揮発性メモリ）と通信部とを備えている。各ＰＣＳは、自機の通信部を介してリモコン１０６の通信部１０７と通信を行ない、運転／停止等の指示及び種々の設定値（後述する買電力の目標値等）を受信する。各ＰＣＳは、受信した設定値を記憶部に記憶し、それを用いてリモコン１０６からの指示に応じて充放電動作を実行する。
【００４２】
リモコン１０６は、制御部（ＣＰＵ、マイコン等）と記憶部（例えば、書換可能な不揮発性メモリ）と通信部とを備えている。リモコン１０６は、蓄電ユニット１０２及び増設ユニット１０４と通信し、受信した情報を適宜記憶部に記憶する。
【００４３】
ここでは、蓄電ユニット１０２と増設ユニット１０４とは、同じ構成であり、蓄電池の容量も同じであるとする。即ち、蓄電ユニット１０２及び増設ユニット１０４は同じ製品として市場に提供されるものである。蓄電ユニット１０２及び増設ユニット１０４のそれぞれの蓄電池に蓄えられた電力は、必要に応じて、ＰＣＳにより直流から交流に変換され、家庭等における電気機器である負荷１２２に供給される。
【００４４】
逆潮検出ＣＴセンサ１０８〜１１４は、電力系統１２０側に流れる電流である逆潮流を監視するためのＣＴセンサである。逆潮検出ＣＴセンサ１０８〜１１４はそれぞれ設置された位置において配電線に流れる電流（交流）を検出し、対応する情報（電流値等）を蓄電ユニット１０２及び増設ユニット１０４に伝送する。即ち、逆潮検出ＣＴセンサ１０８及び１１０からの情報は蓄電ユニット１０２に伝送され、逆潮検出ＣＴセンサ１１２及び１１４からの情報は増設ユニット１０４に伝送される。蓄電ユニット１０２及び増設ユニット１０４はいずれも、対応する逆潮検出ＣＴセンサからの情報を用いて電力を算出し、算出した電力が、それぞれに設定されている買電力の目標値と等しくなるように、放電又は充電を行なう。
【００４５】
具体的に示すと、増設ユニット１０４は、逆潮検出ＣＴセンサ１１２及び１１４からの情報を用いて電力を算出する。算出される電力は、逆潮検出ＣＴセンサ１１２及び１１４の位置における電力系統１２０の側（以下、系統側ともいう）から供給され、負荷１２２で消費されている電力である。増設ユニット１０４は、算出した電力が、予めリモコン１０６により増設ユニット１０４に設定された目標値α２になるように、指令値Ｄ２を決定する。即ち、時刻ｔにおいて、逆潮検出ＣＴセンサ１１２及び１１４からの情報から算出した電力をＰとして、Ｐ＝α２＋Ｄ２となるように、指令値Ｄ２（＝Ｐ−α２）を決定する。増設ユニット１０４の蓄電池の残容量が十分あれば、増設ユニット１０４のＰＣＳは指令値Ｄ２にしたがって、Ｄ２の電力を供給する。これにより、増設ユニット１０４が配電線に接続された位置（より正確には逆潮検出ＣＴセンサ１１２及び１１４の位置）において、系統側から供給される電力Ｐは目標値α２と等しくなる。
【００４６】
同様に、蓄電ユニット１０２は、逆潮検出ＣＴセンサ１０８及び１１０からの情報を用いて、電力（電力系統１２０から供給されている電力）を求める。蓄電ユニット１０２は、算出した電力が、予めリモコン１０６により蓄電ユニット１０２に設定された目標値α１になるように、指令値Ｄ１を決定する。即ち、時刻ｔにおいて、逆潮検出ＣＴセンサ１０８及び１１０からの情報から求めた電力をＰ１として、Ｐ１＝α１＋Ｄ１  となるように、指令値Ｄ１（＝Ｐ１−α１）を決定する。蓄電ユニット１０２の蓄電池の残容量が十分あれば、蓄電ユニット１０２のＰＣＳは指令値Ｄ１にしたがって、Ｄ１の電力を供給する。これにより、電力系統１２０から供給される電力Ｐ１は目標値α１と等しくなる。蓄電ユニット１０２が配電線に接続された位置において、負荷１２２の側（以下、末端側ともいう）には、Ｄ１＋α１の電力が供給される。
【００４７】
これにより、負荷１２２に供給すべき電力のうち、電力系統１２０から目標値α１の電力が供給され、蓄電ユニット１０２から指令値Ｄ１の電力が供給され、増設ユニット１０４から残りの電力、即ち指令値Ｄ２と同じ電力が供給される。負荷１２２には、α１＋Ｄ１＋Ｄ２の電力が供給される。ここで、α１＋Ｄ１＝α２  である。
【００４８】
［制御動作］
上記のように動作する蓄電ユニット１０２及び増設ユニット１０４に対して、リモコン１０６は、蓄電ユニット１０２及び増設ユニット１０４の運転状況に応じて、増設ユニット１０４の目標値α２を変化させる。目標値α２は制御対象であるので、それを明示するために「制御目標値」ともいう。以下に、図３から図５を参照して、リモコン１０６、蓄電ユニット１０２及び増設ユニット１０４が行なう処理を具体的に説明する。ここでは、蓄電ユニット１０２及び増設ユニット１０４はそれぞれ、自己の充放電のサイクル回数（最初に稼働してからの積算値）を内部の記憶部に記憶するとする。
【００４９】
図３のフローチャートはリモコン１０６により実行される。具体的には、リモコン１０６の制御部が、リモコン１０６内部の記憶部から所定のプログラムを読出して実行する。
【００５０】
ステップ３００において、リモコン１０６は、内部の時計を参照して、所定時刻になったか否かを判定する。所定時刻は、例えば、１日の特定の時刻が１つ設定されていればよい。所定時刻になったと判定された場合、制御はステップ３０２に移行する。そうでなければ、ステップ３００が繰返される。
【００５１】
ステップ３０２において、リモコン１０６は、蓄電ユニット１０２及び増設ユニット１０４にそれぞれの充放電のサイクル回数の送信を要求する。例えば、リモコン１０６は、所定の要求コードを蓄電ユニット１０２及び増設ユニット１０４に送信する。その後、制御はステップ３０４に移行する。
【００５２】
ステップ３０４において、リモコン１０６は、蓄電ユニット１０２及び増設ユニット１０４からサイクル回数を受信したか否かを判定する。受信したと判定された場合、制御はステップ３０６に移行する。そうでなければ、ステップ３０４が繰返される。
【００５３】
ステップ３０６において、リモコン１０６は、ステップ３０４で蓄電ユニット１０２及び増設ユニット１０４から受信したサイクル回数を比較し、蓄電ユニット１０２のサイクル回数Ｃ１が増設ユニット１０４のサイクル回数Ｃ２よりも大きいか否かを判定する。大きい（Ｃ１＞Ｃ２）と判定された場合、制御はステップ３０８に移行する。そうでなければ（Ｃ１≦Ｃ２）、制御はステップ３１０に移行する。
【００５４】
ステップ３０８において、リモコン１０６は、増設ユニット１０４の制御目標値（目標値α２）を減少させる。具体的には、リモコン１０６は、増設ユニット１０４に制御目標値を減少させる指令コード（以下、減少指令コードという）を送信する。その後、制御はステップ３１２に移行する。後述するように、増設ユニット１０４は、減少指令コードを受信すると、予め設定された所定値（以下、減算値という）Δ１だけ現在の目標値α２を減少させ、α２−Δ１を新たな目標値α２とする。
【００５５】
ステップ３１０において、リモコン１０６は、増設ユニット１０４の制御目標値（目標値α２）を増大させる。具体的には、リモコン１０６は、増設ユニット１０４に制御目標値を増大させる指令コード（以下、増大指令コードという）を送信する。その後、制御はステップ３１２に移行する。後述するように、増設ユニット１０４は、増大指令コードを受信すると、予め設定された所定値（以下、増大値という）Δ２だけ現在の目標値α２を増大させ、α２＋Δ２を新たな目標値α２とする。
【００５６】
減少値Δ１及び増大値Δ２は任意であり、同じ値であっても、異なる値であってもよい。例えば、Δ１＝５０（Ｗ）、Δ２＝１００（Ｗ）とすることができる。なお、異なるコード（減少指令コード及び増大指令コード）を送信する代わりに、同じ指令コードに増減させる値を付加して増設ユニット１０４に送信してもよい。例えば、減少させる場合、指令コードに“−５０”（５０Ｗ減少させることを意味する）を付加して送信し、増大させる場合には、同じ指令コードに“１００”（１００Ｗ増大させることを意味する）を付加して送信してもよい。
【００５７】
ステップ３１２において、リモコン１０６は、終了の指示を受けたか否かを判定する。終了の指示を受けたと判定された場合、リモコン１０６は、蓄電ユニット１０２及び増設ユニット１０４に対して停止指示を送信し、その後、本プログラムは終了する。そうでなければ、制御はステップ３００に戻る。終了の指示は、例えば、ユーザによりリモコン１０６が操作されたことにより成される。
【００５８】
図４のフローチャートは蓄電ユニット１０２により実行される。具体的には、蓄電ユニット１０２の制御部が、蓄電ユニット１０２内部の記憶部から所定のプログラムを読出して実行する。
【００５９】
ステップ４００において、蓄電ユニット１０２は、リモコン１０６からサイクル回数を送信する要求（要求コード）を受信したか否かを判定する。受信したと判定された場合、制御はステップ４０２に移行する。そうでなければ、制御はステップ４０４に移行する。
【００６０】
ステップ４０２において、蓄電ユニット１０２は、記憶部に記憶されているサイクル回数Ｃ１を読出し、リモコン１０６に送信する。
【００６１】
ステップ４０４において、蓄電ユニット１０２は、逆潮検出ＣＴセンサ１０８及び１１０からの情報から求めた電力が目標値α１になるように指令値Ｄ１を決定し、それにしたがって電力を供給する。
【００６２】
ステップ４０６において、蓄電ユニット１０２は、終了の指示を受けたか否かを判定する。終了の指示を受けたと判定された場合、本プログラムは終了する。そうでなければ、制御はステップ４００に戻る。終了の指示は、例えば、リモコン１０６から蓄電ユニット１０２に送信した停止指示を蓄電ユニット１０２が受信することにより成される。
【００６３】
図５のフローチャートは増設ユニット１０４により実行される。具体的には、増設ユニット１０４の制御部が、増設ユニット１０４内部の記憶部から所定のプログラムを読出して実行する。
【００６４】
図５のフローチャートは、図４のフローチャートにステップ４１０及び４１２が追加されたものである。主体が蓄電ユニット１０２から増設ユニット１０４に変更され、逆潮検出ＣＴセンサ１０８及び１１０の代わりに逆潮検出ＣＴセンサ１１２及び１１４が使用される。図５において、図４と同じ番号を付したステップの処理は図４の処理と同じであるので、重複説明を繰返さず、主として異なる点を説明する。
【００６５】
増設ユニット１０４は、蓄電ユニット１０２と同様に、要求コードを受信すると、記憶部に記憶されているサイクル回数Ｃ２を読出してリモコン１０６に送信する。その後、ステップ４１０において、増設ユニット１０４は、制御目標値の変更指令を受信したか否かを判定する。この変更指令は、リモコン１０６から送信された減少指令コード、増大指令コード、又は、増減値が付加された指令コードである（図３のステップ３０８及び３１０参照）。受信したと判定された場合、制御はステップ４１２に移行する。そうでなければ、制御はステップ４０４に移行する。
【００６６】
ステップ４１２において、増設ユニット１０４は、ステップ４１０で受信した指令に応じて、制御目標値（目標値α２）を変化する。具体的には、ステップ４１０で受信した指令コードが、減少指令コードであれば、予め定められ記憶部に記憶されている減算値Δ１を読出し、現在の目標値α２から減算し、α２−Δ１を新たな目標値α２とする。ステップ４１０で受信した指令コードが、増大指令コードであれば、予め定められ記憶部に記憶されている増大値Δ２を読出し、現在の目標値α２に加算し、α２＋Δ２を新たな目標値α２とする。
【００６７】
なお、ステップ４１０において、指令コードに増減値βが付加された情報を受信した場合、リモコン１０６は、付加された増減値βを用いて目標値α２を変更する。例えば、増減値βの正負の符号により増減を表す場合、リモコン１０６はα２＋βを新たな目標値α２とすればよい。
【００６８】
ここでは、逆潮検出ＣＴセンサ１１２及び１１４の位置で逆潮流が発生しないように、目標値α２には下限値が設定されており、α２−Δ１の値が下限値未満になる場合には、目標値α２は下限値に維持される。目標値α２の上限値は設定されていても、設定されていなくてもよい。
【００６９】
その後、増設ユニット１０４は、逆潮検出ＣＴセンサ１１２及び１１４からの情報から求めた電力が、現在の目標値α２になるように指令値Ｄ２を決定し、それにしたがって電力を供給し、終了の指示を受けるまで上記の処理を繰返す。
【００７０】
以上により、リモコン１０６は、所定時刻になれば、蓄電ユニット１０２及び増設ユニット１０４からそれぞれのサイクル回数を取得し、サイクル回数を比較した結果に応じて、増設ユニット１０４に対して制御目標値（目標値α２）を増減させる指示を行なうことができる。増設ユニット１０４は、リモコン１０６から制御目標値の変更指令を受信すると、それに応じて制御目標値（目標値α２）を変更する。
【００７１】
例えば、既設の蓄電ユニット１０２に増設ユニット１０４が追加されたとする。蓄電ユニット１０２及び増設ユニット１０４はそれぞれ電力の最大供給量が１０００Ｗである。α１＝５０（Ｗ）、α２＝５０（Ｗ）（下限値５０Ｗ）に設定されている場合（蓄電ユニット１０２及び増設ユニット１０４の蓄電池は十分に充電されているとする）、負荷１２２の消費電力が１０００Ｗであれば、増設ユニット１０４から９５０（＝１０００−α２）Ｗが供給され、電力系統１２０から５０Ｗが供給されるので、蓄電ユニット１０２は停止状態となる。このように、負荷１２２の消費電力が、増設ユニット１０４の負荷追従運転可能な範囲内であれば、増設ユニット１０４から電力が供給され、蓄電ユニット１０２は停止状態となる。負荷１２２の消費電力が、増設ユニット１０４の負荷追従運転可能な範囲を超えると、蓄電ユニット１０２は、増設ユニット１０４が供給できない分の電力を供給する。リモコン１０６が蓄電ユニット１０２及び増設ユニット１０４から取得するサイクル回数は、増設ユニット１０４が追加された当初においては、既設の蓄電ユニット１０２のサイクル回数が大きいので、リモコン１０６は、制御目標値（増設ユニット１０４の目標値α２）を減算させる指令を送信する（図３のステップ３０８参照）。これに対して、増設ユニット１０４は、目標値α２は下限値の５０Ｗであるので、その値を維持する。したがって、主として増設ユニット１０４から電力が供給され、増設ユニット１０４のサイクル回数Ｃ２の増加数は、蓄電ユニット１０２のサイクル回数Ｃ１の増加数よりも大きく、増設ユニット１０４のサイクル回数Ｃ２は徐々に蓄電ユニット１０２のサイクル回数Ｃ１に近づく。
【００７２】
増設ユニット１０４のサイクル回数Ｃ２が蓄電ユニット１０２のサイクル回数Ｃ１と同程度になるまでには時間を要するが、いずれ増設ユニット１０４のサイクル回数Ｃ２は蓄電ユニット１０２のサイクル回数Ｃ１を超える。そうなれば、リモコン１０６は、制御目標値（増設ユニット１０４の目標値α２）を増大させる指令を送信する（図３のステップ３１０参照）。これにより、増設ユニット１０４は目標値α２を増大させる。例えば、Δ２＝１００（Ｗ）に設定されていれば、目標値α２＝１５０（Ｗ）となる。したがって、上記のように、負荷１２２の消費電力Ｐが１０００Ｗの場合、即ち増設ユニット１０４の負荷追従運転可能な範囲内であっても蓄電ユニット１０２は停止状態にならず、電力を供給する。目標値α２は１５０（Ｗ）に変更されているので、増設ユニット１０４から８５０（＝１０００−１５０）Ｗが供給され、電力系統１２０から５０Ｗが供給され、蓄電ユニット１０２は残りの１００Ｗを供給する。これにより、増設ユニット１０４のサイクル回数の増加数は、それ以前よりも減少するようになる。増設ユニット１０４のサイクル回数Ｃ２が蓄電ユニット１０２のサイクル回数Ｃ１以上である間は、リモコン１０６からの指令により増設ユニット１０４の目標値α２は増大する。目標値α２がさらに大きくなると、蓄電ユニット１０２が主として動作するようになり、再び蓄電ユニット１０２のサイクル回数Ｃ１が増設ユニットのサイクル回数Ｃ２よりも大きくなる。これにより、上記したようにリモコン１０６は制御目標値を減算させる指令を送信し（図３のステップ３０８参照）、増設ユニット１０４は目標値α２を減少させる。このようにして、蓄電ユニット１０２及び増設ユニット１０４のサイクル回数が均等になるように、リモコン１０６により制御目標値（目標値α２）が調整される。
【００７３】
また、最初に蓄電ユニット１０２及び増設ユニット１０４が同時に設置された場合、初期においては、上記したように、主として増設ユニット１０４が電力を供給し、比較的短期間に増設ユニット１０４のサイクル回数Ｃ２が蓄電ユニット１０２のサイクル回数Ｃ１以上になる。したがって、リモコン１０６は、制御目標値を増大させる指令を送信する（図３のステップ３１０）。これにより、増設ユニット１０４の目標値α２が増大し、負荷１２２の電力が増設ユニット１０４の負荷追従運転可能な範囲内であっても、蓄電ユニット１０２から電力が供給されるようになり、蓄電ユニット１０２のサイクル回数Ｃ１の増加割合が大きくなる。その後は、既設の蓄電ユニット１０２に増設ユニット１０４が追加された場合と同様に、蓄電ユニット１０２及び増設ユニット１０４のサイクル回数が均等になるように、リモコン１０６により制御目標値（目標値α２）が調整される。
【実施例１】
【００７４】
図２と同じ構成で実験を行なった。初期状態を図６に示す。図６では、図２の構成を簡略的に示しており、逆潮検出ＣＴセンサは、逆潮検出ＣＴセンサ１０８及び１１２のみを示している。蓄電ユニット１０２の目標値α１及び増設ユニット１０４の目標値α２を共に５０Ｗに設定し、蓄電ユニット１０２及び増設ユニット１０４を満充電した状態で、負荷１２２の消費電力を約１０００Ｗにした。その結果、図６に矢印で示すように、電力系統１２０から５０Ｗが供給され、増設ユニット１０４から９５０Ｗが供給された。蓄電ユニット１０２からは電力が供給されないので、逆潮検出ＣＴセンサ１１２の位置での電力は電力系統１２０から供給される５０Ｗになっている。【００７５】
この状態は、図７に示したグラフの左端に対応する。図７において、横軸は時刻を表し、縦軸は電力を表す。図７のグラフは、蓄電ユニット１０２の出力電力、増設ユニット１０４の出力電力、及び負荷１２２の電力の時間変化を示す。グラフから分かるように、初期状態では、負荷電力が約１０００Ｗ、増設ユニットの出力電力が約９５０Ｗ、蓄電ユニットの出力電力が０Ｗとなっている。【００７６】
その後、所定のタイミング（図７に下向きの矢印で示す）で、増設ユニット１０４の目標値α２を５００Ｗに増大させた。その結果、図８に矢印で示すように、電力系統１２０から５０Ｗが供給され、蓄電ユニット１０２から４５０Ｗが供給され、増設ユニット１０４から５００Ｗが供給されるようになった。逆潮検出ＣＴセンサ１１２の位置での電力は、電力系統１２０から供給される５０Ｗ及び蓄電ユニット１０２から供給される４５０Ｗの合計値５００Ｗになっている。【００７７】
この状態は、図７に示したグラフの右端に対応する。即ち、負荷１２２の電力が約１０００Ｗ、増設ユニット１０４の出力電力が約５００Ｗ、蓄電ユニット１０２の出力電力が約４５０Ｗとなっている。図７のグラフから、増設ユニット１０４の目標値α２を変更すると、蓄電ユニット１０２及び増設ユニット１０４の出力電力は速やかに変化して安定状態になることが分かる。このように、増設ユニット１０４の目標値α２を変更することにより、蓄電ユニット１０２及び増設ユニット１０４からほぼ均等な電力が供給されるようにできる。【００７８】
（第２の実施形態）
［全体構成］
図９を参照して、本開示の第２の実施形態に係る系統連系用蓄電システム１３０は、第１の実施形態の構成に加えて、発電システムを備えている。即ち、系統連系用蓄電システム１３０は、図２に示した系統連系用蓄電システム１００の構成に加えて、電力系統１２０に接続された太陽光発電パネル１３２及びＰＣＳ１３４を備えている。本実施形態は、蓄電ユニット１０２及び増設ユニット１０４が均等に充放電を行なうようにするためのものである。【００７９】
［制御動作］
図１０から図１２を参照して、リモコン１０６、蓄電ユニット１０２及び増設ユニット１０４が行なう処理を具体的に説明する。図１０のフローチャートはリモコン１０６により実行される。具体的には、リモコン１０６の制御部が、リモコン１０６内部の記憶部から所定のプログラムを読出して実行する。【００８０】
ステップ５００において、リモコン１０６は、内部の時計を参照して、所定時刻になったか否かを判定する。所定時刻は、太陽光発電パネル１３２による発電が行なわれる時間帯、頻度等を考慮して、例えば、日中の時間帯で３０分毎、１時間毎等の時刻が適宜設定されていればよい。所定時刻になったと判定された場合、制御はステップ５０２に移行する。そうでなければ、ステップ５００が繰返される。【００８１】
ステップ５０２において、リモコン１０６は、蓄電ユニット１０２及び増設ユニット１０４にそれぞれの指令値の送信を要求する。例えば、リモコン１０６は、所定の要求コードを蓄電ユニット１０２及び増設ユニット１０４に送信する。その後、制御はステップ５０４に移行する。【００８２】
ステップ５０４において、リモコン１０６は、蓄電ユニット１０２及び増設ユニット１０４から指令値を受信したか否かを判定する。受信したと判定された場合、制御はステップ５０６に移行する。そうでなければ、ステップ５０４が繰返される。【００８３】
ステップ５０６において、リモコン１０６は、ステップ５０４で蓄電ユニット１０２及び増設ユニット１０４から受信した指令値を比較し、蓄電ユニット１０２の指令値Ｄ１が増設ユニット１０４の指令値Ｄ２よりも大きいか否かを判定する。大きい（Ｄ１＞Ｄ２）と判定された場合、制御はステップ５０８に移行する。そうでなければ（Ｄ１≦Ｄ２）、制御はステップ５１０に移行する。【００８４】
ステップ５０８において、リモコン１０６は、制御目標値（増設ユニット１０４の目標値α２）を減少させる。具体的には、リモコン１０６は、図３のステップ３０８と同様に、増設ユニット１０４に目標値α２を減少させる指令コード（減少指令コード）を送信する。その後、制御はステップ５１２に移行する。増設ユニット１０４は、減少指令コードを受信すると、予め設定された減算値Δ１だけ現在の目標値α２を減少させ、α２−Δ１を新たな目標値α２とする。【００８５】
ステップ５１０において、リモコン１０６は、制御目標値を増大させる。具体的には、リモコン１０６は、図３のステップ３１０と同様に、増設ユニット１０４に目標値α２を増大させる指令コード（増大指令コード）を送信する。増設ユニット１０４は、増大指令コードを受信すると、予め設定された増大値Δ２だけ現在の目標値α２を増大させ、α２＋Δ２を新たな目標値α２とする。【００８６】
第１の実施形態と同様に、減少値Δ１及び増大値Δ２は任意であり、同じ値であっても、異なる値であってもよい。また、異なるコード（減少指令コード及び増大指令コード）を送信する代わりに、同じ指令コードに増減させる値を付加して増設ユニット１０４に送信してもよい。【００８７】
ステップ５１２において、リモコン１０６は、終了の指示を受けたか否かを判定する。終了の指示を受けたと判定された場合、リモコン１０６は、蓄電ユニット１０２及び増設ユニット１０４に対して停止指示を送信し、その後、本プログラムは終了する。そうでなければ、制御はステップ５００に戻る。終了の指示は、例えば、ユーザによりリモコン１０６が操作されたことにより成される。【００８８】
図１１のフローチャートは蓄電ユニット１０２により実行される。具体的には、蓄電ユニット１０２の制御部が、蓄電ユニット１０２内部の記憶部から所定のプログラムを読出して実行する。図１１のフローチャートは、図４のフローチャートのステップ４００及び４０２がそれぞれステップ４２０及び４２２で置き換えられたものである。図１１において、図４と同じ番号を付したステップの処理は、図４の処理と同じである。したがって、重複説明を繰返さず、主として異なる点を説明する。【００８９】
ステップ４２０において、蓄電ユニット１０２は、リモコン１０６から指令値を送信する要求（指令値要求コード）を受信したか否かを判定する。受信したと判定された場合、制御はステップ４２２に移行する。そうでなければ、制御はステップ４０４に移行する。【００９０】
ステップ４２２において、蓄電ユニット１０２は、現在の指令値Ｄ１をリモコン１０６に送信する。【００９１】
その後、蓄電ユニット１０２は、逆潮検出ＣＴセンサ１０８及び１１０からの情報から求めた電力が目標値α１になるように指令値Ｄ１を決定し、それにしたがって電力を供給し、終了の指示を受けるまで上記の処理を繰返す。【００９２】
図１２のフローチャートは増設ユニット１０４により実行される。具体的には、増設ユニット１０４の制御部が、増設ユニット１０４内部の記憶部から所定のプログラムを読出して実行する。図１２のフローチャートは、図５のフローチャートのステップ４００及び４０２がそれぞれステップ４２０及び４２２に置き換えられたものである。図１２において、図５と同じ番号を付したステップの処理は、図５の処理と同じである。また、図１２のステップ４２０及び４２２は、主体が蓄電ユニット１０２から増設ユニット１０４に変更され、逆潮検出ＣＴセンサ１０８及び１１０の代わりに逆潮検出ＣＴセンサ１１２及び１１４が使用されるだけで、図１１のステップ４２０及び４２２と同じである。したがって、重複説明を繰返さず、主として異なる点を説明する。【００９３】
増設ユニット１０４は、指令値要求コードを受信すると、現在の指令値Ｄ２をリモコン１０６に送信する。続いて、増設ユニット１０４は、制御目標値の変更指令を受信すれば、指令にしたがって現在の目標値α２を変更する。続いて、増設ユニット１０４は、逆潮検出ＣＴセンサ１１２及び１１４からの情報から求めた電力が、現在の目標値α２になるように指令値Ｄ２を決定し、それにしたがって電力を供給する。その後、終了の指示を受けるまで上記の処理を繰返す。なお、第１の実施形態とは異なり、目標値α２に下限値は設定されておらず、初期値よりも小さい値（負の値を含む）となり得る。【００９４】
以上により、リモコン１０６は、所定時刻になれば、蓄電ユニット１０２及び増設ユニット１０４からそれぞれの指令値を取得し、指令値を比較した結果に応じて、増設ユニット１０４に対して制御目標値（目標値α２）を増減させる指示を行なうことができる。増設ユニット１０４は、リモコン１０６から制御目標値の変更指令を受信すると、それに応じて制御目標値（目標値α２）を変更する。【００９５】
図９においては、負荷１２２の消費電力をＰ０、太陽光発電パネル１３２の発電によりＰＣＳ１３４から供給される電力をＰｓとすると、式１及び式２が成り立つ。
α１＋Ｐｓ＋Ｄ１＋Ｄ２＝Ｐ０・・・・（式１）
α１＋Ｐｓ＋Ｄ１＝α２・・・・・・・（式２）
即ち、負荷１２２への電力の供給源は、電力系統１２０、蓄電ユニット１０２、増設ユニット１０４及びＰＣＳ１３４である。また、電力系統１２０から供給される電力は、蓄電ユニット１０２の制御により目標値α１に等しくなっており、増設ユニット１０４の系統側から供給される電力は、増設ユニット１０４の制御により目標値α２に等しくなっている。蓄電ユニット１０２及び増設ユニット１０４は充放電するので、指令値Ｄ１及びＤ２が正の値であれば放電中、負の値であれば充電中を意味する。【００９６】
蓄電ユニット１０２及び増設ユニット１０４の充放電状態が等しくなるための条件は、Ｄ１＝Ｄ２である。この条件（Ｄ１＝Ｄ２）と上記の式１及び式２とを考慮して、指令値Ｄ１及びＤ２を含まない式で目標値α２を表すと、α２＝（Ｐ０＋Ｐｓ＋α１）／２  となる。即ち、目標値α２をこの値に設定すれば、蓄電ユニット１０２及び増設ユニット１０４の充放電状態が等しくなる（Ｄ１＝Ｄ２）。【００９７】
例えば、初期においてα１＝α２＝５０（Ｗ）と設定されているとし、Ｐ０＝５００（Ｗ）であり、Ｐｓ＝０（発電停止中）であるとする。その場合、目標値α２が初期値のままであれば、負荷１２２には、増設ユニット１０４からの電力４５０Ｗ（Ｄ２＝４５０）と電力系統１２０からの電力５０Ｗが供給され、蓄電ユニット１０２は停止状態である（Ｄ１＝０）。即ち、指令値はＤ１＜Ｄ２である。この場合、目標値α２をα２＝（５００＋５０）／２＝２７５（Ｗ）に変更すれば、蓄電ユニット１０２及び増設ユニット１０４から同じ電力が負荷１２２に供給される。即ち、負荷１２２には、増設ユニット１０４の系統側から２７５Ｗが供給されるので、増設ユニット１０４から２２５Ｗが供給され（Ｄ２＝２２５）、合計５００Ｗが供給される。増設ユニット１０４の系統側から供給される電力２７５Ｗのうち、電力系統１２０から５０Ｗが供給され、蓄電ユニット１０２から残りの２２５Ｗが供給される（Ｄ１＝２２５）。【００９８】
一方、Ｐ０＝５００（Ｗ）であり、Ｐｓ＝１０００（Ｗ）（発電中）である場合、目標値α２が初期値のままであれば、増設ユニット１０４は、系統側から５０Ｗが供給されるように、負荷１２２に対して４５０Ｗの電力を供給する（Ｄ２＝４５０）。太陽光発電パネル１３２による発電電力１０００Ｗ及び電力系統１２０から供給される電力５０Ｗの合計１０５０Ｗのうち、末端側に供給される５０Ｗ（α２＝５０）を除いた残りは、蓄電ユニット１０２に充電されることになる（Ｄ１＝−１０００）。即ち、指令値はＤ１＜Ｄ２である。この場合、目標値α２をα２＝（５００＋１０００＋５０）／２＝７７５（Ｗ）とすれば、太陽光発電パネル１３２の発電電力のうち、負荷１２２に供給される以外の余剰電力５５０Ｗは、蓄電ユニット１０２及び増設ユニット１０４に均等に充電される。即ち、増設ユニット１０４は、系統側から７７５Ｗが供給されるので、負荷１２２で消費される電力５００Ｗを除いた残りの余剰電力２７５Ｗを充電する（Ｄ２＝−２７５）。太陽光発電パネル１３２の発電電力（１０００Ｗ）にはまだ余剰電力（電力系統１２０から５０Ｗの電力が供給されるので、１０００−７７５＋５０＝２７５（Ｗ））があるので、それは蓄電ユニット１０２に充電される（Ｄ１＝−２７５）。よって、蓄電ユニット１０２及び増設ユニット１０４には、それぞれ２７５Ｗが充電される。【００９９】
このように、負荷１２２の消費電力Ｐ０及び太陽光発電パネル１３２の発電電力Ｐｓはリモコン１０６には不明であり、変動する。しかし、蓄電ユニット１０２及び増設ユニット１０４の充放電電力が等しくなる方向に近づけるには、太陽光発電パネル１３２の発電の有無にかかわらず、増設ユニット１０４の目標値α２を初期値から増大させる必要がある。初期状態（Ｄ１＜Ｄ２）から、制御目標値（目標値α２）を増大させると、Ｄ１及びＤ２の値は、両者の差が小さくなるように変化する。したがって、Ｄ１≦Ｄ２である間は、制御目標値を増大させる（ステップ５１０参照）。そして、制御目標値が大きくなり、Ｄ１＞Ｄ２となれば、制御目標値を減少させる（ステップ５０８参照）。これにより、蓄電ユニット１０２及び増設ユニット１０４の充放電電力が等しくなるようにできる。【０１００】
［効果］
同じ製品である蓄電ユニット１０２及び増設ユニット１０４を２台並列に接続した構成の系統連系用蓄電システム１００において、蓄電ユニット１０２及び増設ユニット１０４のサイクル回数に応じて、蓄電ユニット１０２よりも末端側に接続された増設ユニット１０４に対して、その目標値α２（制御目標値）を変更する指令を送信する。これにより、蓄電ユニット１０２及び増設ユニット１０４の供給電力を調整でき、蓄電ユニット１０２及び増設ユニット１０４のサイクル回数を均等にし、蓄電池の劣化度を均等にできる。【０１０１】
したがって、蓄電ユニット１０２及び増設ユニット１０４が同時に設置された場合に、増設ユニット１０４の蓄電池が蓄電ユニット１０２の蓄電池よりも早く劣化してしまう問題を回避できる。また、既設の蓄電ユニット１０２に増設ユニット１０４が追加された場合、当初においては、主として増設ユニット１０４から電力を供給する。その後、増設ユニット１０４のサイクル回数が増加し蓄電ユニット１０２のサイクル回数を超えて、蓄電ユニット１０２及び増設ユニット１０４の劣化度が均等になった後には、蓄電ユニット１０２及び増設ユニット１０４から均等に電力を供給できる。したがって、この場合にも、一方の蓄電池が他方の蓄電池よりも早く劣化してしまう問題を回避できる。【０１０２】
また、太陽光発電パネル１３２を備えた系統連系用蓄電システム１３０においては、蓄電ユニット１０２及び増設ユニット１０４の指令値に応じて、蓄電ユニット１０２よりも末端側に接続された増設ユニット１０４に対して、その目標値α２を変更する指令を送信する。これにより、蓄電ユニット１０２及び増設ユニット１０４の充放電電力を均等にできる。その結果、蓄電ユニット１０２及び増設ユニット１０４の蓄電池の劣化度を均等にできる。【０１０３】
（変形例）
図２を参照して上記した蓄電ユニット１０２及び増設ユニット１０４の配電線への接続は一例であり、これに限定されない。例えば、既設の蓄電ユニット１０２に対して、増設ユニット１０４を追加する場合、負荷１２２から蓄電ユニット１０２よりも遠い位置で配電線に接続されてもよい。図９及び後述する図１３に示した構成においても同様である。【０１０４】
上記では、リモコン１０６が所定の時刻になれば制御目標値を変更する処理を開始する場合（図３のステップ３００参照）を説明したが、これに限定されない。リモコン１０６は、予め設定された所定の時間間隔で制御目標値を変更する処理を開始してもよい。また、リモコン１０６は、外部からのトリガを受けて、制御目標値を変更する処理を開始してもよい。例えば、ユーザがリモコン１０６を操作して、制御目標値の変更を指示してもよい。また、制御目標値を変更する処理を連続的に実行してもよい。即ち、図３及び図１０のフローチャートにおいて、それぞれステップ３００及びステップ５００を削除してもよい。【０１０５】
上記では、第１の実施形態に関して、蓄電ユニット１０２及び増設ユニット１０４のサイクル回数の比較結果により、増設ユニット１０４の目標値α２を変更する場合を説明したが、これに限定されない。蓄電ユニット１０２及び増設ユニット１０４のサイクル回数の差が所定値よりも大きい場合に、増設ユニット１０４の目標値を変更するようにしてもよい。【０１０６】
また、上記では、第２の実施形態に関して、蓄電ユニット１０２及び増設ユニット１０４の指令値の比較結果により、増設ユニット１０４の目標値α２を変更する場合を説明したが、これに限定されない。蓄電ユニット１０２及び増設ユニット１０４の指令値の差が所定値よりも大きい場合に、増設ユニット１０４の目標値を変更するようにしてもよい。【０１０７】
上記では、第１の実施形態において、蓄電ユニット１０２及び増設ユニット１０４のサイクル回数を比較する場合を説明したが、これに限定されない。蓄電ユニット１０２及び増設ユニット１０４の動作状況を均等にできればよく。例えば、第１の実施形態において、第２の実施形態と同様に、蓄電ユニット１０２及び増設ユニット１０４の充放電電力が均等になるように、制御目標値（目標値α２）を調整してもよい。また、蓄電ユニット１０２及び増設ユニット１０４の電池残量が均等になるように、制御目標値（目標値α２）を調整してもよい。これにより、蓄電ユニット１０２及び増設ユニット１０４の動作状況を均等にし、蓄電池の劣化度を均等にできる。【０１０８】
また、蓄電ユニット１０２及び増設ユニット１０４の使用履歴又は劣化度が均等になるように、制御目標値（目標値α２）を調整してもよい。使用履歴は、例えばサイクル回数である。なお、上記したようにサイクル回数は劣化度の評価にも使用される。また、劣化度は、蓄電池の満充電状態から完全に放電させたときの放電容量（ｋＷｈ）で評価してもよい。満充電状態からの放電容量は、蓄電池が使用される時間につれて低下するので、初期の放電容量からの低下率を、劣化度とすることができる。満充電状態からの放電容量を使用することにより、蓄電ユニット１０２及び増設ユニット１０４の動作状況を均等にし、蓄電池の劣化度を均等にできる。【０１０９】
［第２の実施形態の第１変形例］
第２の実施形態に関しては、図９に示したように、蓄電ユニット１０２と増設ユニット１０４との間に発電システムが接続される場合を説明したが、発電システムの接続位置はこれに限定されない。例えば、図１３に示したように、増設ユニット１０４よりも末端側に発電システム（太陽光発電パネル１３２及びＰＣＳ１３４）が接続されることが考えられる。この場合にも、増設ユニット１０４の目標値α２を調整することにより、蓄電ユニット１０２及び増設ユニット１０４の充放電電力を均等にできる。リモコン１０６、蓄電ユニット１０２及び増設ユニット１０４が行なう処理は、それぞれ図１０、図１１及び図１２と同じであればよい。【０１１０】
図１３においては、図９と同様に、負荷１２２の消費電力をＰ０とし、太陽光発電パネル１３２の発電によりＰＣＳ１３４から供給される電力をＰｓとする。電力の供給源は電力系統１２０、蓄電ユニット１０２、増設ユニット１０４及びＰＣＳ１３４であるので、式１が成り立つ。
α１＋Ｐｓ＋Ｄ１＋Ｄ２＝Ｐ０・・・・（式１）
一方、逆潮検出ＣＴセンサ１１２及び１１４での電力（目標値α２）に関しては、図９の場合の式２とは異なり、式３が成り立つ。
α１＋Ｄ１＝α２・・・・（式３）
Ｄ１及びＤ２は、正の値であれば放電中、負の値であれば充電中を意味する。【０１１１】
蓄電ユニット１０２及び増設ユニット１０４の充放電状態が等しくなるための条件は、Ｄ１＝Ｄ２であり、この条件と上記の式１及び式３とを考慮して、指令値Ｄ１及びＤ２を含まない式で目標値α２を表すと、α２＝（Ｐ０−Ｐｓ＋α１）／２  となる。即ち、目標値α２をこの値に設定すれば、蓄電ユニット１０２及び増設ユニット１０４の充放電電力が等しくなる。【０１１２】
例えば、初期においてα１＝α２＝５０（Ｗ）と設定されているとし、Ｐ０＝５００（Ｗ）であり、Ｐｓ＝０（発電停止中）であるとする。その場合、目標値α２が初期値のままであれば、負荷１２２には、増設ユニット１０４からの電力４５０Ｗ（Ｄ２＝４５０）と電力系統１２０からの電力５０Ｗが供給され、蓄電ユニット１０２は停止状態である（Ｄ１＝０）。即ち、指令値はＤ１＜Ｄ２である。この場合、目標値α２をα２＝（５００＋５０）／２＝２７５（Ｗ）にすれば、蓄電ユニット１０２及び増設ユニット１０４から同じ電力が負荷１２２に供給される。負荷１２２には、増設ユニット１０４から２７５Ｗが供給され（Ｄ２＝２７５）、電力系統１２０から５０Ｗが供給され、増設ユニット１０４から残りの２７５Ｗが供給される（Ｄ１＝２７５）。【０１１３】
一方、発電中に関しては、例えば、Ｐ０＝５００（Ｗ）であり、Ｐｓ＝１０００（Ｗ）の場合、目標値α２が初期値のままであれば、増設ユニット１０４は、系統側から５０Ｗが供給されるように、増設ユニット１０４は、太陽光発電パネル１３２の発電電力のうち、負荷１２２に供給される以外の余剰電力５５０Ｗを充電する（Ｄ２＝−５５０）。したがって、蓄電ユニット１０２は停止状態となる（Ｄ１＝０）。即ち、指令値はＤ１＞Ｄ２である。この場合、初期の目標値α２をα２＝（５００−１０００＋５０）／２＝−２２５（Ｗ）にすれば、太陽光発電パネル１３２の発電電力のうち、負荷１２２に供給される以外の余剰電力５５０Ｗは、蓄電ユニット１０２及び増設ユニット１０４に均等に充電される。即ち、太陽光発電パネル１３２の発電電力１０００Ｗのうち、系統側に２２５Ｗが供給（系統側から−２２５Ｗが供給）され、負荷１２２に５００Ｗが供給され、残りの２７５Ｗは増設ユニット１０４に供給されて充電される（Ｄ２＝−２７５）。そして、蓄電ユニット１０２は、太陽光発電パネル１３２の発電電力（１０００Ｗ）のうちの２２５Ｗ（末端側から供給）と、電力系統１２０から供給される電力５０Ｗとの合計２７５Ｗを充電する（Ｄ１＝−２７５）。【０１１４】
このように、負荷１２２の消費電力Ｐ０及び太陽光発電パネル１３２の発電電力Ｐｓはリモコン１０６には不明であり、変動する。しかし、蓄電ユニット１０２及び増設ユニット１０４の充放電状態が等しくなる方向に近づけるには、発電停止中であれば、増設ユニット１０４の目標値α２を初期値から増大させる必要がある。初期状態（Ｄ１＜Ｄ２）から、制御目標値（目標値α２）を増大させると、Ｄ１及びＤ２の値は、両者の差が小さくなるように変化する。したがって、Ｄ１≦Ｄ２である間は、制御目標値を増大させる（図１０のステップ５１０参照）。そして、制御目標値が大きくなり、Ｄ１＞Ｄ２となれば、制御目標値を減少させる（図１０のステップ５０８参照）。これにより、蓄電ユニット１０２及び増設ユニット１０４の充放電状態が等しくなる方向に近づけることができる。【０１１５】
一方、発電中であれば、逆潮流が発生しないように、増設ユニット１０４の目標値α２を初期値から減少させる。したがって、Ｄ１＞Ｄ２である間は、制御目標値を減少させる（図１０のステップ５０８参照）。初期状態（Ｄ１＞Ｄ２）から、制御目標値（目標値α２）を減少させると、Ｄ１及びＤ２の値は、両者の差が小さくなるように変化する。そして、制御目標値が小さくなり、Ｄ１≦Ｄ２となれば、制御目標値を増大させる（図１０のステップ５１０参照）。【０１１６】
即ち、図１０のステップ５０６からステップ５１０に示されているように、発電の有無にかかわらず（発電の有無により、設定値Ｄ１及びＤ２の初期の大小関係は異なるが）、Ｄ１≦Ｄ２であれば、制御目標値（目標値α２）を増大させればよい（ステップ５１０）。Ｄ１＞Ｄ２であれば、制御目標値（目標値α２）を減少させればよい（ステップ５０８）。【０１１７】
なお、上記の制御目標値（目標値α２）の調整により、蓄電ユニット１０２及び増設ユニット１０４の充電状態が変化する。目標値α２を調整することにより、太陽光発電パネル１３２の余剰電力及び電力系統１２０から供給される電力により、蓄電ユニット１０２及び増設ユニット１０４のいずれか一方を優先的に充電できる。目標値α２を増大させることにより、増設ユニット１０４を蓄電ユニット１０２よりも優先的に充電できる。目標値α２を減少させることにより、蓄電ユニット１０２を増設ユニット１０４よりも優先的に充電できる。例えば、上記したように、Ｐ０＝５００（Ｗ）であり、Ｐｓ＝１０００（Ｗ）の場合、α２＝５０（Ｗ）であれば、太陽光発電パネル１３２の余剰電力５５０Ｗにより、増設ユニット１０４が蓄電ユニット１０２よりも優先的に充電される。目標値α２を減少（α２＝５０（Ｗ）からα２＝−２２５（Ｗ）に減少）させることにより、太陽光発電パネル１３２の余剰電力５５０Ｗにより、増設ユニット１０４だけでなく蓄電ユニット１０２を充電できるようになる。また、上記の式１及び式３から、Ｄ２＝Ｐ０−Ｐｓ−α２、Ｄ１＝α２−α１  が得られる。これらの式から、Ｄ２が負の場合（増設ユニット１０４が充電中の場合）、α２を増大させることにより、Ｄ２はより小さくなり、Ｄ１はより大きくなる。したがって、増設ユニット１０４を蓄電ユニット１０２よりも優先的に充電できる。一方、α２を減少させることにより、Ｄ１＜０となり、Ｄ２（負の値）はより大きくなる（０に近づく）。したがって、蓄電ユニット１０２を増設ユニット１０４よりも優先的に充電できる。【０１１８】
［第２の実施形態の第２変形例］
第２の実施形態に関しては、図９に示したように、逆潮検出ＣＴセンサ１１２及び１１４を、発電システム（太陽光発電パネル１３２及びＰＣＳ１３４）と増設ユニット１０４との間の配電線に設ける場合を説明したが、これに限定されない。例えば、図１４に示すように、蓄電ユニット１０２と発電システムとの間に逆潮検出ＣＴセンサ１１２及び１１４を設けることが考えられる。この場合にも、増設ユニット１０４の目標値α２を調整することにより、蓄電ユニット１０２及び増設ユニット１０４の充放電電力を均等にできる。リモコン１０６、蓄電ユニット１０２及び増設ユニット１０４が行なう処理は、それぞれ図１０、図１１及び図１２と同じであればよい。【０１１９】
図１４においては、図９と同様に、負荷１２２の消費電力をＰ０とし、太陽光発電パネル１３２の発電によりＰＣＳ１３４から供給される電力をＰｓとする。電力の供給源は電力系統１２０、蓄電ユニット１０２、増設ユニット１０４及びＰＣＳ１３４であるので、式１が成り立つ。
α１＋Ｐｓ＋Ｄ１＋Ｄ２＝Ｐ０・・・・（式１）
一方、逆潮検出ＣＴセンサ１１２及び１１４での電力（目標値α２）に関しては、図９の場合の式２とは異なり、第２の実施形態の第１変形例（図１３）と同様に、式３が成り立つ。
α１＋Ｄ１＝α２・・・・（式３）
Ｄ１及びＤ２は、正の値であれば放電中、負の値であれば充電中を意味する。【０１２０】
蓄電ユニット１０２及び増設ユニット１０４の充放電状態が等しくなるための条件は、Ｄ１＝Ｄ２であり、この条件と上記の式１及び式３とを考慮して、指令値Ｄ１及びＤ２を含まない式で目標値α２を表すと、第２の実施形態の第１変形例と同様に、α２＝（Ｐ０−Ｐｓ＋α１）／２  となる。即ち、目標値α２をこの値に設定すれば、蓄電ユニット１０２及び増設ユニット１０４の充放電電力が等しくなる。【０１２１】
したがって、第２の実施形態の第１変形例に関して具体的に説明したように、Ｐｓ＝０（発電停止中）又はＰｓ＞０（発電中）に応じて、蓄電ユニット１０２及び増設ユニット１０４を制御できる。即ち、蓄電ユニット１０２及び増設ユニット１０４の充放電状態が等しくなる方向に近づけるには、発電停止中であれば、増設ユニット１０４の目標値α２を初期値から増大させる。初期状態（Ｄ１＜Ｄ２）から、制御目標値（目標値α２）を増大させると、Ｄ１及びＤ２の値は、両者の差が小さくなるように変化する。したがって、Ｄ１≦Ｄ２である間は、制御目標値を増大させる（図１０のステップ５１０参照）。そして、制御目標値が大きくなり、Ｄ１＞Ｄ２となれば、制御目標値を減少させる（図１０のステップ５０８参照）。これにより、蓄電ユニット１０２及び増設ユニット１０４の充放電状態が等しくなる方向に近づけることができる。【０１２２】
一方、発電中であれば、逆潮流が発生しないように、増設ユニット１０４の目標値α２を初期値から減少させる。したがって、Ｄ１＞Ｄ２である間は、制御目標値を減少させる（図１０のステップ５０８参照）。初期状態（Ｄ１＞Ｄ２）から、制御目標値（目標値α２）を減少させると、Ｄ１及びＤ２の値は、両者の差が小さくなるように変化する。そして、制御目標値が小さくなり、Ｄ１≦Ｄ２となれば、制御目標値を増大させる（図１０のステップ５１０参照）。【０１２３】
即ち、図１０のステップ５０６からステップ５１０に示されているように、発電の有無にかかわらず（発電の有無により、設定値Ｄ１及びＤ２の初期の大小関係は異なるが）、Ｄ１≦Ｄ２であれば、制御目標値（目標値α２）を増大させればよい（ステップ５１０）。Ｄ１＞Ｄ２であれば、制御目標値（目標値α２）を減少させればよい（ステップ５０８）。なお、本変形例においても、第２の実施形態の第１変形例と同様に目標値α２を調整することにより、太陽光発電パネル１３２の余剰電力及び電力系統１２０から供給される電力により蓄電ユニット１０２及び増設ユニット１０４のいずれか一方を優先的に充電できる。【０１２４】
上記では、リモコン１０６が主体となって、蓄電ユニット１０２及び増設ユニット１０４のサイクル回数又は指令値を比較し、比較結果に応じて増設ユニット１０４の目標値α２を変更する場合を説明したが、これに限定されない。蓄電ユニット１０２及び増設ユニット１０４の少なくとも一方が主体となって同様の制御を行なってもよい。その場合、例えば、図１５に示すように系統連系用蓄電システムを構成できる。図１５は、図２においてリモコン１０６を削除し、蓄電ユニット１０２のＰＣＳ及び増設ユニット１０４のＰＣＳを相互に通信可能に接続する通信経路１４０を設けたものである。通信経路１４０は、有線通信によるものであっても無線通信によるものであってもよい。蓄電ユニット１０２のＰＣＳ及び増設ユニット１０４のＰＣＳの少なくとも一方が、リモコン１０６の機能を担う。即ち、蓄電ユニット１０２がリモコンを含む場合、蓄電ユニット１０４がリモコンを含む場合、又は、蓄電ユニット１０２及び増設ユニット１０４の各々がリモコンを含む場合が考えられる。【０１２５】
上記では、蓄電ユニット１０２の目標値α１を初期値に固定し、増設ユニット１０４の目標値α２を変更する場合を説明したが、これに限定されない。増設ユニット１０４の目標値α２を初期値に固定し、蓄電ユニット１０２の目標値α１を変更してもよい。また、蓄電ユニット１０２の目標値α１及び増設ユニット１０４の目標値α２の両者を変更してもよい。例えば、蓄電ユニット１０２及び増設ユニット１０４のうち、より劣化しているユニットの目標値を変更してもよい。【０１２６】
また、蓄電ユニット１０２及び増設ユニット１０４を新規に設置するとき、又は、既設の蓄電ユニット１０２に増設ユニット１０４を追加して設置するときに、それぞれのユニットの目標値を初期値から変更してもよい。【０１２７】
以上、実施の形態を説明することにより本発明を説明したが、上記した実施の形態は例示であって、本発明は上記した実施の形態のみに制限されるわけではない。本発明の範囲は、発明の詳細な説明の記載を参酌した上で、請求の範囲の各請求項によって示され、そこに記載された文言と均等の意味及び範囲内での全ての変更を含む。
【符号の説明】
【０１２８】
１００、１３０、１５０    系統連系用蓄電システム
１０２、９００    蓄電ユニット
１０４    増設ユニット
１０６、９０４    リモコン
１０７    通信部
１０８、１１０、１１２、１１４、９０６、９０８    逆潮検出ＣＴセンサ
１２０、９２０    電力系統
１２２、９２２    負荷
１３２    太陽光発電パネル
１３４    ＰＣＳ
１４０    通信経路
３００、３０２、３０４、３０６、３０８、３１０、３１２、４００、４０２、４０４、４０６、４１０、４１２、４２０、４２２、５００、５０２、５０４、５０６、５０８、５１０、５１２    ステップ
Ｐ、Ｐ０、Ｐ１、Ｐ２、Ｐｓ    電力
Ｄ１、Ｄ２    指令値
α１、α２    目標値
【図１】
2019235221.tif 000003
【図２】
2019235221.tif 000004
【図３】
2019235221.tif 000005
【図４】
2019235221.tif 000006
【図５】
2019235221.tif 000007
【図６】
2019235221.tif 000008
【図７】
2019235221.tif 000009
【図８】
2019235221.tif 000010
【図９】
2019235221.tif 000011
【図１０】
2019235221.tif 000012
【図１１】
2019235221.tif 000013
【図１２】
2019235221.tif 000014
【図１３】
2019235221.tif 000015
【図１４】
2019235221.tif 000016
【図１５】
2019235221.tif 000017
【国際調査報告】
2019235221.tif 000018
2019235221.tif 000019
2019235221.tif 000020
2019235221.tif 000021